(57)【要約】【課題】万が一、制御プリント配線基板上の高電流が流れる部分から発火した場合でも、その発火により上部枠体やパネル部材が類焼することがない洗濯機を実現する。【解決手段】洗濯機本体１７に積載した上部枠体１８内に収容され洗濯機の運転を制御する電源用制御プリント配線基板（制御プリント配線基板）３１を内装し第１の舟状のケース（舟状のケース）３６内に、電源用制御プリント配線基板３１を内装した状態で、ポッティング材を充填することで防水保護された電源用制御プリント配線基板ユニット（制御プリント配線基板ユニット）３８を形成し、電源用制御プリント配線基板３１上に実装され高電流が流れるリレー（電装部品）４２ａ、トライアック（電装部品）４２ｂおよび雄コネクタ（コネクタ部）４０ａ、４０ｂ、雌コネクタ（コネクタ部）４１ａ、４１ｂの上方が、カバー体（金属部材）４３で覆われる構成としたものである。【選択図】図１
2007190116.tif 000002
【特許請求の範囲】
【請求項１】
洗濯機本体と、前記洗濯機本体に積載した上部枠体と、前記上部枠体内に収容され洗濯機の運転を制御する制御プリント配線基板と、前記制御プリント配線基板を内装し上面が開放された舟状のケースと、前記制御プリント配線基板を前記舟状のケース内に内装した状態で前記舟状のケース内にウレタン樹脂等によりなるポッティング材を充填することで前記制御プリント配線基板が防水保護された制御プリント配線基板ユニットとを備え、前記制御プリント配線基板ユニットは、前記制御プリント配線基板上に実装された電装部品およびコネクタ部のうち、少なくとも高電流が流れる前記電装部品およびコネクタ部の上方が、金属部材で覆われる構成とした洗濯機。
【請求項２】
金属部材は、舟状のケースに固定される構成とした請求項１記載の洗濯機。
【請求項３】
制御プリント配線基板ユニットは、制御プリント配線基板上に高電流が流れる電装部品およびコネクタ部が実装された電源用制御プリント配線基板ユニットと、制御プリント配線基板上に信号等の低電流しか流れない電装部品およびコネクタ部が実装された操作用制御プリント配線基板ユニットに分割され、金属部材は、前記電源用制御プリント配線基板ユニット側に設けられる構成とした請求項１または２に記載の洗濯機。
【請求項４】
電源用制御プリント配線基板ユニットは、開放された上面が横方向を向き、舟状のケースの両側壁がそれぞれ上下方向を向くように立てた状態で上部枠体に装着される構成とした請求項３に記載の洗濯機。
【請求項５】
金属部材は、高電流が流れる前記電装部品およびコネクタ部の上方を覆うとともに舟状のケースの外側から側壁に沿うように形成された第１金属部分と、前記第１の金属部分に対し略直角に形成され前記舟状のケースの底面に沿うように形成された第２の金属部分とから構成され、前記第１の金属部分に、前記舟状のケースの上端部に前記上端方向から底面方向に向けて引っ掛かるように形成された略Ｌ字状の引掛け部が設けられ、前記舟状のケースを前記略Ｌ字状の引掛け部と前記第２の金属部分とにより挟むことで、電源用制御プリント配線基板ユニットに固定される構成とした請求項４に記載の洗濯機。
【請求項６】
金属部材の第１金属部分の先端部分は、制御プリント配線基板の反対側に折り曲がる構成とした請求項５記載の洗濯機。
【請求項７】
上部枠体に凹部を設け、制御プリント配線基板ユニットは、前記凹部内に載設され、前記凹部は、前記制御プリント配線基板ユニットと金属部材が載設された状態で、外観パネル部材にて覆われる構成とした請求項１〜６のいずれか１項に記載の洗濯機。
【発明の詳細な説明】
【技術分野】
【０００１】
本発明は、制御プリント配線基板が防水保護された制御プリント配線基板ユニットを有する洗濯機に関するものである。
【背景技術】
【０００２】
従来、この種の洗濯機は図４に示すような構成が一般的であった（例えば、特許文献１参照）。
【０００３】
以下、その構成について図４を用いて説明する。洗濯槽１を収納した洗濯機本体２の上部には上部枠体３が装着され、上部枠体３の略中央部には衣類投入口４が形成され、衣類投入口４は蓋５で開閉自在に覆われている。また、上部枠体３の後部には、給水を制御する電磁給水弁６と、その電磁給水弁６に連通し洗濯槽１内に給水する注水口部材７とが内蔵され、その上方を後部パネル部材８で覆っている。
【０００４】
また、上部枠体３の前部には、略凹状の制御プリント配線基板収納部９が形成され、ボタン１０を有する前部パネル部材１１が制御プリント配線基板収納部９を上方より被装している。前部パネル部材１１の裏面には、スイッチ（図示せず）を有する制御プリント配線基板ユニット１２が装着されている。また、制御プリント配線基板１２上には、高電流（例えば、３アンペア（Ａ）以上）が流れる交流電源やモータ（図示せず）等と接続されたリード線１３の先端部が挿着されるコネクタ部１４や電装部品１５が実装されている。
【特許文献１】特開平５−１２３４９２号公報
【発明の開示】
【発明が解決しようとする課題】
【０００５】
しかしながら、前記従来の構成では、電装部品１５の部品不良、コネクタ部１４のガタツキ、或いは加締め不良、水や蒸気の浸入等が原因で、万が一、電装部品１５やコネクタ部１４から発火した場合、前部パネル部材１１は、ＰＰ（ポリ・プロプレン）やＡＢＳ（アクリルニトリル・ブタジエン・スチレン）等の熱可塑性樹脂で形成されているため、電装部品１５やコネクタ部１４からの発火により、上部枠体３や前部パネル部材１１が類焼してしまうといった課題があった。
【０００６】
本発明は、前記従来の課題を解決するもので、電装部品の部品不良、コネクタ部のガタツキ、或いは加締め不良、水や蒸気の浸入等が原因で、万が一、制御プリント配線基板上の高電流が流れる電装部品やコネクタ部から発火した場合でも、その発火により上部枠体やパネル部材が類焼することがない洗濯機を提供することを目的とする。
【課題を解決するための手段】
【０００７】
前記従来の課題を解決するために、本発明の洗濯機は、洗濯機本体と、前記洗濯機本体に積載した上部枠体と、前記上部枠体内に収容され洗濯機の運転を制御する制御プリント配線基板と、前記制御プリント配線基板を内装し上面が開放された舟状のケースと、前記制御プリント配線基板を前記舟状のケース内に内装した状態で前記舟状のケース内にウレタン樹脂等によりなるポッティング材を充填することで前記制御プリント配線基板が防水保護された制御プリント配線基板ユニットとを備え、前記制御プリント配線基板ユニットは、前記制御プリント配線基板上に実装された電装部品およびコネクタ部のうち、少なくとも高電流が流れる前記電装部品およびコネクタ部の上方が、金属部材で覆われる構成としたものである。
【０００８】
これによって、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、電装部品およびコネクタ部の上方を覆う金属部材にて、発火の拡大を防ぐことができることとなる。
【発明の効果】
【０００９】
本発明の洗濯機は、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、ＰＰやＡＢＳ等の熱可塑性樹脂で形成された上部枠体やパネル部材が類焼してしまうことを防止することができる。
【発明を実施するための最良の形態】
【００１０】
本発明の請求項１記載の発明は、洗濯機本体と、前記洗濯機本体に積載した上部枠体と、前記上部枠体内に収容され洗濯機の運転を制御する制御プリント配線基板と、前記制御プリント配線基板を内装し上面が開放された舟状のケースと、前記制御プリント配線基板を前記舟状のケース内に内装した状態で前記舟状のケース内にウレタン樹脂等によりなるポッティング材を充填することで前記制御プリント配線基板が防水保護された制御プリント配線基板ユニットとを備え、前記制御プリント配線基板ユニットは、前記制御プリント配線基板上に実装された電装部品およびコネクタ部のうち、少なくとも高電流が流れる前記電装部品およびコネクタ部の上方が、金属部材で覆われる構成とした洗濯機とすることにより、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、電装部品およびコネクタ部の上方を覆う金属部材にて、発火の拡大を防ぐことができ、ＰＰやＡＢＳ等の熱可塑性樹脂で形成された上部枠体やパネル部材が類焼してしまうことを防止することができる。
【００１１】
第２の発明は、特に、第１の発明の金属部材は、舟状のケースに固定される構成としたことにより、別途、金属部材を取り付けるための構成を形成する必要がないため、安価に金属部材を取り付けることができる。
【００１２】
第３の発明は、特に、第１または第２の発明の制御プリント配線基板ユニットは、制御プリント配線基板上に高電流が流れる電装部品およびコネクタ部が実装された電源用制御プリント配線基板ユニットと、制御プリント配線基板上に信号等の低電流しか流れない電装部品およびコネクタ部が実装された操作用制御プリント配線基板ユニットに分割され、金属部材は、前記電源用制御プリント配線基板ユニット側に設けられる構成としたことにより、高電流が流れる電装部品およびコネクタ部を電源用制御プリント配線基板ユニット側に集約することで、金属部材で覆う範囲を限定することができるので、金属部材を小さくすることができ、金属部材を安価にすることができる。
【００１３】
第４の発明は、特に、第３の発明の電源用制御プリント配線基板ユニットは、開放された上面が横方向を向き、舟状のケースの両側壁がそれぞれ上下方向を向くように立てた状態で上部枠体に装着される構成としたことにより、舟状のケースの両側壁がそれぞれ横方向に向くようにした状態で上部枠体に装着される構成とした場合に比較して、覆う面積を少なくすることができるので、金属部材をさらに小さくすることができ、金属部材をさらに安価にすることができる。
【００１４】
第５の発明は、特に、第４の発明の金属部材は、高電流が流れる前記電装部品およびコネクタ部の上方を覆うとともに舟状のケースの外側から側壁に沿うように形成された第１金属部分と、前記第１の金属部分に対し略直角に形成され前記舟状のケースの底面に沿うように形成された第２の金属部分とから構成され、前記第１の金属部分に、前記舟状のケースの上端部に前記上端方向から底面方向に向けて引っ掛かるように形成された略Ｌ字状の引掛け部が設けられ、前記舟状のケースを前記略Ｌ字状の引掛け部と前記第２の金属部分とにより挟むことで、電源用制御プリント配線基板ユニットに固定される構成としたことにより、挟むだけで、金属部材を電源用制御プリント配線基板ユニットに固定できるので、固定のためのねじ等が不要となり、安価に金属部材を取り付けることができる。
【００１５】
第６の発明は、特に、第５の発明の金属部材の第１金属部分の先端部分は、制御プリント配線基板の反対側に折り曲がる構成としたことにより、コネクタ部に接続されたリード線が金属部材の先端部分に当接したとしても、傷ついたりすることはなく、安全にリード線を引き回すことができる。
【００１６】
第７の発明は、特に、第１〜６のいずれか１つの発明の上部枠体に凹部を設け、制御プリント配線基板ユニットは、前記凹部内に載設され、前記凹部は、前記制御プリント配線基板ユニットと金属部材が載設された状態で、外観パネル部材にて覆われる構成としたことにより、金属部材が所定の位置に取り付けられたのを確認した後、外観パネル部材を上部枠体に取り付けるので、金属部材を確実に所定の位置に取り付けることができるので、万が一、制御プリント配線基板上の高電流が流れる電装部品やコネクタ部から発火した場合でも、その発火により上部枠体やパネル部材が類焼するのをさらに確実に防止することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における洗濯機の上部枠体の分解斜視図、図２は、同洗濯機のカバー体（金属部材）の斜視図、図３は、同洗濯機のカバー体（金属部材）と制御プリント配線基板の組立斜視図を示すものである。
【００１９】
図１において、洗濯槽１６を収納した洗濯機本体１７の上部には、ＰＰ（ポリ・プロプレン）やＡＢＳ（アクリルニトリル・ブタジエン・スチレン）等の熱可塑性樹脂で形成された上部枠体１８が装着されている。上部枠体１８には、略中央部に洗濯槽１６に衣類を投入するための衣類投入口１９を形成している。衣類投入口１９は、後方で軸支された蓋２０で開閉自在に覆われている。衣類投入口１９の前方には、前部凹部２１が形成され、衣類投入口１９の側方には、側部凹部２２が形成されている。前部凹部２１は、表示部２３および操作ボタン２４等を有しＰＰやＡＢＳ等の熱可塑性樹脂で形成された操作表示パネル部材２５にて覆われる構成としており、側部凹部２２は、ＰＰやＡＢＳ等の熱可塑性樹脂で形成された外観パネル部材２６にて覆われる構成としている。
【００２０】
また、上部枠体１８の後部には、給水を制御する電磁給水弁２７と、その電磁給水弁２７に連通し洗濯槽１６内に給水する注水口部材２８とが内蔵され、その上方を後部パネル部材２９で覆っている。
【００２１】
洗濯機の運転を制御する制御プリント配線基板は、交流電源およびモータ（図示せず）等の駆動部品とリード線３０ａ、３０ｂを介して接続された電源用制御プリント配線基板３１と、電源用制御プリント配線基板３１と信号リード線３２で接続され操作表示パネル部材２５の表示部２３の対応位置に設けた表示電装部品３３、および操作ボタン２４の対応位置に設けた操作電装部品３４等が実装された操作用制御プリント配線基板３５とに分割されている。
【００２２】
電源用制御プリント配線基板３１および操作用制御プリント配線基板３５は、それぞれ上面が開放された第１の舟状のケース３６および第２の舟状のケース３７内に内装された状態で、第１の舟状のケース３６および第２の舟状のケース３７内にウレタン樹脂等によりなるポッティング材が充填され、電源用制御プリント配線基板３１および操作用制御プリント配線基板３５が防水保護された電源用制御プリント配線基板ユニット３８および操作用制御プリント配線基板ユニット３９が形成されている。
【００２３】
上記したように、操作用制御プリント配線基板３５は、電源用制御プリント配線基板３１と信号リード線３２で接続されており、操作用制御プリント配線基板３５上には、低電流（例えば、１Ａ以下）で動作する表示電装部品３３および操作電装部品３４等が実装されているのみで、高電流（例えば３Ａ以上）が流れることはない構成となっている。
【００２４】
一方、電源用制御プリント配線基板３１には、交流電源から電流が入力されるリード線３０ａの先端に設けた雄コネクタ４０ａが挿着される雌コネクタ４１ａが実装され、モータ（図示せず）等の駆動部品へ電流を出力するリード線３０ｂの先端に設けた雄コネクタ４０ｂが挿着される雌コネクタ４１ｂが実装されるとともに、交流電源からの電流用のリレー４２ａやモータへの通電を制御するためのトライアック４２ｂ等が実装されている。モータ駆動時において、雌コネクタ４１ａ、４１ｂ、雄コネクタ４０ａ、４０ｂ、リレー４２ａおよびトライアック４２ｂには、高電流（例えば３Ａ以上）が流れることとなる。
【００２５】
操作用制御プリント配線基板ユニット３９が、操作表示パネル部材２５の裏面にねじ止め固定された後、操作表示パネル部材２５が、前部凹部２１を覆うように取り付けられる。このように、操作用制御プリント配線基板ユニット３９を前部に配置させることで、使用者が操作しやすいようにしている。
【００２６】
電源用制御プリント配線基板ユニット３８は、その長手方向が前後方向に位置するとともに、第１の舟状のケース３６の開放された上面が横方向を向き、両側壁３６ａ、３６ｂがそれぞれ上下方向を向くように立てた状態で、側部凹部２２にねじ止め固定されている。この状態において、構成電源用制御プリント配線基板３１上に実装された雌コネクタ４１ａ、４１ｂ、その雌コネクタ４１ａ、４１ｂに挿着される雄コネクタ４０ａ、４０ｂ、交流電源からの電流用のリレー４２ａおよびモータへの通電を制御するためのトライアック４２ｂは、電源用制御プリント配線基板３１の後部側に集中するように設けられている。
【００２７】
このように集中して設けられた雌コネクタ４１ａ、４１ｂ、雄コネクタ４０ａ、４０ｂ、リレー４２ａおよびトライアック４２ｂの上方には、不燃性の金属材料で形成されたカバー体（金属部材）４３を設けている。このカバー体４３の構成について、図２および図３を用いて説明する。
【００２８】
図２において、カバー体４３は、第１の金属部分４４と第２の金属部分４５とを有し、第１の金属部分４４と第２の金属部分４５とが略直角になるように形成されている。第１の金属部分４４には、先端部分４６ａが第２の金属部材４５方向に向くように略Ｌ字状に形成された引掛け部４６が設けられている。また、第２の金属部分４５の一辺には、第２の金属部分４５に対し略直角になるように位置決めリブ４７が設けられている。さらに、第１の金属部分４４において、第２の金属部分４５との接続部分の反対側の先端部分は、第２の金属部分４５に対して反対側に折れ曲がるように先端保護部４８ａを設けている。なお、第１の金属部分４４の両側端部にも、同方向に折れ曲がる先端保護部４８ｂを設けている。
【００２９】
このような構成におけるカバー体４３は、図３に示すように、電源用制御プリント配線基板ユニット３８に取り付けられる。この取り付け方法について、以下に説明する。
【００３０】
図３において、カバー体４３は、引掛け部４６を先端部分４６ａが電源用制御プリント配線基板ユニット３８の底面方向に向いて第１の舟状のケース３６の上方に位置する側壁３６ａの上端部３６ｃに引っ掛けるとともに、第１の金属部分４４は側壁３６ａに沿うように位置し、また、第２の金属部分４５は第１の舟状のケース３６の底面３６ｅに沿うように位置している。このとき、第２の金属部分４５の一辺に設けた位置決めリブ４７が、第１の舟状のケース３６の後方側に位置するの後方側壁３６ｄに沿うことで、カバー体４３の電源用制御プリント配線基板ユニット３８に対する位置決めがなされている。
【００３１】
また、第１の金属部分４４の前後方向（矢印ａ方向）の長さは、集中して設けられた雌コネクタ４１ａ、４１ｂ、雄コネクタ４０ａ、４０ｂ、リレー４２ａおよびトライアック４２ｂが全て覆われ、かつ、さらに雌コネクタ４１ａ、４１ｂ、雄コネクタ４０ａ、４０ｂ、リレー４２ａおよびトライアック４２ｂのうち最前に位置する部品よりも所定寸法長くなるように設定されている。
【００３２】
さらに、第１の金属部分４４の左右方向（矢印ｂ方向）の長さは、外観パネル部材２６の天面内部の形状にほぼ沿うような長さに設定されている。
【００３３】
上記構成において、その作用を説明する。
【００３４】
上記したように、モータ駆動時において、雌コネクタ４１ａ、４１ｂ、雄コネクタ４０ａ、４０ｂ、リレー４２ａおよびトライアック４２ｂには、高電流（例えば３Ａ以上）が流れる。通常の使用状態においては、全く問題はないが、リレー４２ａ、トライアック４２ｂに部品不良があった場合、雌コネクタ４１ａ、４１ｂと雄コネクタ４０ａ、４０ｂのガタツキ、加締め不良、あるいはリード線３０ａ、３０ｂの一部断線があった場合、あるいはその部分へ水や蒸気が浸入した場合など、電装部品やコネクタ部から発火するおそれがある。このような場合でも、その発火の拡大をカバー体４３の第１の金属部分４４で防ぐことができるので、ＰＰやＡＢＳ等の熱可塑性樹脂で形成された外観パネル部材２６が、類焼してしまうことを防止することができる。
【００３５】
また、電源用制御プリント配線基板ユニット３８は、その長手方向が前後方向に位置するとともに、第１の舟状のケース３６の開放された上面が横方向を向き、両側壁３６ａ、３６ｂがそれぞれ上下方向を向くように立てた状態で、側部凹部２２にねじ止め固定されていることにより、カバー体４３の第１の金属部分４４の大きさを、第１の舟状のケース３６の開放された上面が上方向を向き、両側壁３６ａ、３６ｂがそれぞれ横方向を向くようにした状態で雌コネクタ４１ａ、４１ｂ、雄コネクタ４０ａ、４０ｂ、リレー４２ａおよびトライアック４２ｂを覆うようにした場合に対し、小さくすることができ、カバー体４３を安価にすることができる。
【００３６】
また、カバー体４３は、引掛け部４６を先端部分４６ａが電源用制御プリント配線基板ユニット３８の底面方向に向いて第１の舟状のケース３６の上方に位置する側壁３６ａの上端部３６ｃに引っ掛けるとともに、第１の金属部分４４は側壁３６ａに沿うように位置し、また、第２の金属部分４５は第１の舟状のケース３６の底面３６ｅに沿うように位置するように構成しているので、ねじ等の固定部品が不要となり、安価にカバー体４３を取り付けることができる。このとき、位置決めリブ４７は、第１の舟状のケース３６の後方側に位置するの後方側壁３６ｄに沿うように形成されているので、カバー体４３の電源用制御プリント配線基板ユニット３８に対する位置決めがなされるとともに、前方向に位置ずれを防止することができる。なお、後方向への位置ずれは、側部凹部２２の後部にリブ（図示せず）を設けることで防止することができる。
【００３７】
また、リード線３０ａ、３０ｂは、第１の金属部分４４の近傍を引き回されることとなるが、第１の金属部分４４の端部には、電源用制御プリント配線基板３１に対して反対側に折れ曲がる先端保護部４８ａ、４８ｂが設けられているので、リード線３０ａ、３０ｂの被覆が、第１の金属部分４４の端部のエッジで傷ついたりすることはなく、安全にリード線３０ａ、３０ｂを引き回すことができる。
【００３８】
また、電源用制御プリント配線基板ユニット３８にカバー体４３を取り付けた状態で、側部凹部２２にねじ止め固定し、その後、外観パネル部材２６を取り付けるように構成しているので、カバー体４３が所定の位置に取り付けられたのを確認した後、外観パネル部材２６を上部枠体１８に取り付けるので、カバー体４３を確実に所定の位置に取り付けることができるので、万が一、雌コネクタ４１ａ、４１ｂ、雄コネクタ４０ａ、４０ｂ、リレー４２ａおよびトライアック４２ｂから発火した場合でも、その発火により外観パネル部材２６が類焼するのをさらに確実に防止することができる。
【００３９】
なお、本実施の形態１においては、モータ駆動時において、高電流（例えば３Ａ以上）が流れる電装部品やコネクタ部を雌コネクタ４１ａ、４１ｂ、雄コネクタ４０ａ、４０ｂ、リレー４２ａおよびトライアック４２ｂとしたが、それ以外にも存在してもよく、その場合もその部分をカバー体４３で覆えばよい。
【００４０】
また、図１に示すように、外観パネル部材２６の裏面において、高電流が流れる雌コネクタ４１ａ、４１ｂ、雄コネクタ４０ａ、４０ｂ、リレー４２ａおよびトライアック４２ｂの対応位置に広範囲でアルミテープ４９を貼付することで、さらに外観パネル部材２６が類焼することを防止することができ、さらに安全性を向上させることができる。
【産業上の利用可能性】
【００４１】
本発明にかかる洗濯機は、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、ＰＰやＡＢＳ等の熱可塑性樹脂で形成された上部枠体やパネル部材が類焼しまうことを防止することができるので、制御プリント配線基板が防水保護された制御プリント配線基板ユニットを有する洗濯機として有用である。
【図面の簡単な説明】
【００４２】
【図１】本発明の第１の実施の形態における洗濯機の上部枠体の分解斜視図
【図２】同洗濯機のカバー体の斜視図
【図３】同洗濯機のカバー体と制御プリント配線基板の組立斜視図
【図４】従来の洗濯機の構成図
【符号の説明】
【００４３】
１７  洗濯機本体
１８  上部枠体
３１  電源用制御プリント配線基板（制御プリント配線基板）
３６  第１の舟状のケース（舟状のケース）
３８  電源用制御プリント配線基板ユニット（制御プリント配線基板ユニット）
４０ａ、４０ｂ  雄コネクタ（コネクタ部）
４１ａ、４１ｂ  雌コネクタ（コネクタ部）
４２ａ  リレー（電装部品）
４２ｂ  トライアック（電装部品）
４３  カバー体（金属部材）
【図１】
2007190116.tif 000003
【図２】
2007190116.tif 000004
【図３】
2007190116.tif 000005
【図４】
2007190116.tif 000006